(57)【特許請求の範囲】
【請求項１】
被検体をイメージングするイメージングシステムを監視する監視システムの作動方法であって、前記作動方法は、
前記イメージングシステムの動作特性のセットを得るステップと、
前記得られた動作特性のセットのうち、断続的に所定の動作可能範囲から外れる動作特性であって前記イメージングシステムの即時サービスを要求しない動作特性を識別するステップと、
前記の識別した動作特性の傾向を生成するステップと、
前記の生成した傾向を少なくとも１つの基準傾向と比較するステップと、
前記比較に基づき、前記イメージングシステムはサービスを提供されるべきであると決定するステップと、
前記イメージングシステムはサービスを提供されるべきであると決定することに応答して、サービス通知信号を生成するステップであって、前記サービス通知信号は、前記イメージングシステムのサービスを呼び出す、ステップと、
を有する方法。
【請求項２】
前記動作特性のセットを得るステップは、数値のセットを決定するステップであって、各数値は、前記動作特性のセットの前記動作特性のうちの対応する１つを表す、ステップを有する、請求項１に記載の方法。
【請求項３】
前記動作特性のセットは画像品質メトリックを含む、請求項２に記載の方法。
【請求項４】
前記数値は、前記イメージングシステムにより生成された画像データの標準偏差を表す、請求項３に記載の方法。
【請求項５】
前記数値は、前記イメージングシステムにより生成された画像データの解像度を表す、請求項３に記載の方法。
【請求項６】
前記数値は、２進値である、請求項３に記載の方法。
【請求項７】
前記識別された動作特性は、温度、電気特性、データ記憶の状態、又はデータ伝送レートのうちの１又は複数を有する、請求項１に記載の方法。
【請求項８】
前記基準傾向は、断続的に前記所定の動作可能範囲から外れるがサービスを要求しない同じ動作特性を有する異なるイメージングシステムの傾向を有する、請求項１に記載の方法。
【請求項９】
前記基準傾向は、断続的に前記所定の動作可能範囲から外れサービスを要求する同じ動作特性を有する異なるイメージングシステムの傾向を有する、請求項１に記載の方法。
【請求項１０】
前記基準傾向は、断続的に前記所定の動作可能範囲から外れる同じ動作特性を有する同じイメージングシステムの傾向を有し、前記比較は、前記断続的な動作特性がより高い頻度で又はより低い頻度で生じているかを示す、請求項１に記載の方法。
【請求項１１】
前記イメージングシステムはサービスを提供されるべきあると示すユーザ入力を示す信号を受信するステップと、
前記信号を受信することに応答して、前記サービス通知信号を生成するステップと、
を更に有する請求項１に記載の方法。
【請求項１２】
被検体をイメージングするイメージングシステムを監視する監視システムであって、前記監視システムは、
被検体をイメージングするイメージングシステムの動作特性のセットを得るよう構成される特性サーバと、
前記得られた動作特性のセットのうち、断続的に所定の動作可能範囲から外れる動作特性であって前記イメージングシステムの即時サービスを要求しない動作特性を識別するよう構成される特性識別器と、
前記の識別した動作特性の傾向を生成するよう構成されるトレンダと、
前記の生成した傾向を少なくとも１つの基準傾向と比較するよう構成される傾向比較器と、
前記比較に基づき、前記イメージングシステムはサービスを提供されるべきであると決定し、前記イメージングシステムはサービスを提供されるべきであると決定することに応答して、サービス通知信号を生成するよう構成される決定ロジックと、
を有する監視システム。
【請求項１３】
前記動作特性は、数値により表される、請求項１２に記載の監視システム。
【請求項１４】
前記動作特性は画像品質メトリックである、請求項１２に記載の監視システム。
【請求項１５】
前記画像品質メトリックは、前記イメージングシステムにより生成された画像データの検出画像不均一性の比の値を表す数値を有する、請求項１４に記載の監視システム。
【請求項１６】
前記画像品質メトリックは、前記イメージングシステムの検出器の回転中心の追跡を表す数値を有する、請求項１４に記載の監視システム。
【請求項１７】
前記画像品質メトリックは、前記イメージングシステムの空間分解能性能を表す数値を有する、請求項１４に記載の監視システム。
【請求項１８】
前記画像品質メトリックは、前記イメージングシステムの感度性能を表す数値を有する、請求項１４に記載の監視システム。
【請求項１９】
前記動作特性は、温度、電気特性、データ記憶の状態、データ転送問題、又はデータ転送障害のうちの１又は複数を有する、請求項１４に記載の監視システム。
【請求項２０】
前記少なくとも１つの基準傾向は、断続的に前記所定の動作可能範囲から外れるがサービスを要求しない同じ動作特性を有する異なるイメージングシステムの第１の傾向、断続的に前記所定の動作可能範囲から外れサービスを要求する同じ動作特性を有する異なるイメージングシステムの第２の傾向、又は断続的に前記所定の動作可能範囲から外れる同じ動作特性を有する同じイメージングシステムの第３の傾向、のうちの少なくとも１つを有する、請求項１２に記載の監視システム。
【請求項２１】
コンピュータ可読命令をエンコードされた非一時的コンピュータ可読記憶媒体であって、前記コンピュータ可読命令は、プロセッサにより実行されると、前記プロセッサに、
被検体をイメージングするイメージングシステムの動作特性のセットのうち、断続的に所定の動作可能範囲から外れる動作特性であって前記イメージングシステムの即時サービスを要求しない動作特性を識別させ、
前記の識別された動作特性の傾向を生成させ、
前記の生成された傾向を少なくとも１つの基準傾向と比較させ、
前記傾向の比較に基づき、前記イメージングシステムはサービスを提供されるべきか否かを決定させ、
前記イメージングシステムはサービスを提供されるべきであると決定することに応答して、サービス通知信号を生成させる、
非一時的コンピュータ可読記憶媒体。
【請求項２２】
被検体をイメージングするイメージングシステムを監視する監視システムであって、前記監視システムは、
コンピュータプロセッサであって、
前記イメージングシステムの動作特性のセットのうち、断続的に所定の動作可能範囲から外れる動作特性であって前記イメージングシステムの即時サービスを要求しない動作特性を識別し、
前記識別された動作特性の傾向を生成し、
前記生成された傾向を少なくとも１つの基準傾向と比較し、
前記傾向の比較に基づき、前記イメージングシステムがサービスを提供されるべきか否かを決定し、
前記イメージングシステムがサービスを提供されるべきであると決定することに応答して、サービス通知信号を生成する、
よう構成されるコンピュータプロセッサと、
前記生成された傾向及びサービス通知のうちの少なくとも１つを表示するよう構成されるディスプレイ機器と、
を有する監視システム。
【発明の詳細な説明】
【技術分野】
【０００１】
以下は、概してイメージングシステムに関し、より詳細には、イメージングシステム動作特性監視に関する。しかしながら、以下は、非イメージングシステムにも変更可能である。
【背景技術】
【０００２】
複雑な患者イメージング装置のサービス遠隔測定法及び遠隔監視は、臨床的状況にある間、被検体に臨床的プロトコルを実行するためのシステム可用性を保証するために、主要機能及性能パラメータの制御を必要とし得る。これらの主要パラメータ及び機能が遠隔で目に見えることは、必要に応じてサブシステムの制御へのリモートアクセスと結合されて、ユニットの使用不能を生じ得る、したがって患者スループットを制限する、ハード故障を防ぎ得る。
【０００３】
遠隔測定及び更なる分析のために上述のような情報を使用する能力は、地域に渡り設置されたユニットから専用制御センタへのデータ転送及び遠隔監視の目的を達成するために特定情報を抽出し識別するために該データの処理を必要とする。上述の処理を達成するための１つの方法は、装置から抽出された膨大な量のログファイルを操作することである。これは通常、かなりのデータ伝送帯域幅、かなりの制御センタ計算及び記憶容量、及びデータ計算結果の分析及びそれに対する作用を実行するための専用マンパワーを必要とする。
【０００４】
もう１つの方法は、装置ログファイル及びサブシステムから特定のパラメータを直接抽出し、制御センタへ該情報のみを送信することである。これは、資源と遙かに調和した方法であり、現場に配備されている装置の数が増大するとき、拡張性を向上するのに役立つ。さらに、この方法は、会社財産制御センタへパラメータを配信することにより、装置情報の保護及び分析を保護する商業的必要性を満たす。これらのパラメータは、指定した時間枠の範囲内で処置可能な値を瞬時に識別できる遠隔監視警告サーバにおいて評価され得る。
【０００５】
しかしながら、幾つかのパラメータは、それらの閾から外れた値が長期間に渡り存続するときにのみ、処置可能になる。残念ながら、このようなパラメータは、時間に渡り評価されない場合に誤った警報を生じることがあり、したがって、設計通りに臨床的に機能しているシステムからの分析及び調査には追加時間が必要である。したがって、このようなパラメータを評価する更なるアプローチの必要が未だ満たされていない。
【発明の概要】
【０００６】
本願明細書に記載の態様は、上述の問題及び他の問題を解決する。
【０００７】
以下に記載のアプローチは、傾向を示し、ランク付けし、分析し、及び／又は更にサービス遠隔測定法のために、主要パラメータを異なる地域に渡り設置されるイメージングシステムの集合から遠隔で利用可能にし、同時に、ネットワーク通信帯域幅及び／又は接続制限を、及び複数システム情報を分析するために大容量コンピューティングサーバの必要を克服する。
【０００８】
一態様では、イメージングシステムのためにサービス通知信号を生成する方法は、前記イメージングシステムの動作特性のセットを得るステップを有する。方法は、前記動作特性のセットのうち、断続的に所定範囲から外れるが前記イメージングシステムの即時サービスを要求しない動作特性を識別するステップを更に有する。方法は、前記の識別された動作特性の傾向を生成するステップを更に有する。方法は、前記の生成された傾向を少なくとも１つの基準傾向と比較するステップを更に有する。方法は、前記比較に基づき、前記イメージングシステムがサービスを提供されるべきであると決定するステップを更に有する。方法は、前記イメージングシステムがサービスを提供されるべきであると決定することに応答して、前記サービス通知信号を生成するステップであって、前記サービス通知信号は前記イメージングシステムのサービスを呼び出す、ステップを更に有する。
【０００９】
別の態様では、イメージングシステムのためにサービス通知信号を生成するシステムは、前記イメージングシステムの動作特性のセットを得るよう構成される特性サーバを有する。
システムは、前記動作特性のセットのうち、断続的に所定動作可能範囲から外れるが前記イメージングシステムの即時サービスを要求しない動作特性を識別するよう構成される特性識別器を更に有する。システムは、前記の識別した動作特性の傾向を生成するよう構成されるトレンダと、前記の生成した傾向を少なくとも１つの基準傾向と比較するよう構成される傾向比較器と、を更に有する。システムは、前記比較に基づき、前記イメージングシステムはサービスを提供されるべきであると決定し、前記イメージングシステムはサービスを提供されるべきであると決定することに応答して、前記サービス通知信号を生成するよう構成される決定ロジックであって、前記サービス通知信号は、前記イメージングシステムのサービスを呼び出す、決定ロジックと、を更に有する。
【００１０】
別の態様では、コンピュータ可読命令をエンコードされたコンピュータ可読記憶媒体が提供され、前記コンピュータ可読命令は、プロセッサにより実行されると、前記プロセッサに、上述の方法を実行させる。
本発明の一実施形態では、前記動作特性は数値である。
関連する実施形態では、前記動作特性は画像品質メトリックである。関連する一実施形態では、前記数値は、前記イメージングシステムにより生成された画像データのボクセルの少なくともサブセットの標準偏差を表しても良い。関連する一実施形態では、前記数値は、前記イメージングシステムにより生成された画像データのボクセルの少なくともサブセットの解像度を表す。更に関連する一実施形態では、前記数値は、前記イメージングシステムにより生成された画像データの中のアーチファクトを示す。特に前記数値は、本実施形態では、前記アーチファクトの存否を示す２進値であっても良い。
さらに、本発明の一実施形態は、前記画像品質メトリックが前記イメージングシステムにより生成された画像データの検出画像不均一性の比の値を表す数値を有することを提供する。更なる実施形態では、前記画像品質メトリックは、前記イメージングシステムにある検出器の回転中心の追跡を表す数値を有する。さらに、一実施形態では、前記画像品質メトリックは、前記イメージングシステムの空間分解能性能を表す数値を有する。さらに、一実施形態は、前記画像品質メトリックが前記イメージングシステムの感度性能を表す数値を有することを提供する。
更なる一実施形態では、前記動作特性は、温度、電気特性、データ記憶の状態、又はデータ送信レート、のうちの１又は複数を有する。
本発明の一実施形態では、基準傾向は、断続的に前記所定範囲から外れるがサービスを要求しない同じ動作特性を有する異なるイメージングシステムの傾向を含む。本発明の更なる実施形態では、前記基準傾向は、断続的に前記所定範囲から外れサービスを要求する同じ動作特性を有する異なるイメージングシステムの傾向を有する。さらに、一実施形態は、前記基準傾向が、断続的に前記所定範囲から外れ同じ動作特性を有する同じイメージングシステムの傾向を有する。本実施形態では、前記比較は、前記の断続的動作特性がより高い頻度で又はより低い頻度で生じているかを特に示しても良い。
本発明の一実施形態では、方法は、前記イメージングシステムがサービスを提供されるべきであると示すユーザ入力を示す信号を受信するステップと、前記信号を受信することに応答して前記サービス通知信号を生成するステップと、を更に有する。
【００１１】
本発明は、種々のコンポーネント及びコンポーネントの配置の形式、並びに種々のステップ及びステップの配置の形式を取ることができる。図面は、好適な実施形態を説明することのみを目的とし、本発明を限定するものと見なされるべきではない。
【図面の簡単な説明】
【００１２】
【図１】複数のイメージング及び／又は非イメージングシステムと結合されるイメージングシステムヘルス監視システムを概略的に示す。
【図２】図１のイメージングシステムヘルス監視システムの変形を概略的に示す。
【図３】本願明細書に開示の実施形態による方法を示す。
【発明を実施するための形態】
【００１３】
図１は、イメージングシステムヘルス監視システム１０２とイメージングシステム１０４のセットとを有するシステム１００を概略的に示す。
【００１４】
イメージングシステム特性サーバ１０６は、イメージングシステム１０４のセットのうちの１又は複数の動作特性を得る。適切なイメージングシステム１０４の例は、限定ではないが、ＣＴ（computed  tomography）スキャナ１０８、ＭＲ（magnetic  resonance）スキャナ１１０、ＳＰＥＣＴ（single  photon  emission  computed  tomography）スキャナ１１２、．．．、ＰＥＴ（positron  emission  tomography）スキャナ１１４を含む。動作特性は、特定のイメージングシステム１０４を識別する識別子を有し及び／又はそれに関連付けられても良い。
【００１５】
動作特性の例は、限定ではないが、１又は複数の所定場所における温度値、１又は複数の所定ハードウェアコンポーネントの温度値、１又は複数の所定コンポーネント若しくは回路の電気的値（例えば、電圧、電流、インピーダンス、等）、使用可能ディスク空間の割合、データ転送問題、データ転送障害、画像品質メトリック、及び／又は他の特性を有する。このような動作特性は、システム１０４において、測定され及び／又はその他の場合にはハードウェア及び／又はソフトウェアを決定し得る。
【００１６】
概して、得られた動作特性は、数値として提示される。例えば、特定のコンポーネントの温度を表す特性は、温度を表すアナログ若しくはデジタル値の形式（例えば、７０度を表すデジタル値）であり得る。画像品質メトリックの例は、雑音（例えば、標準偏差、分散、等）、解像度（例えば、ミリメータ当たりのライン対、ＬＰ／ｍｍで表される）、アーチファクト（例えば、アーチファクトの存否を表す２進値）、画像データの検出画像均一性の比の値、イメージングシステムにある検出器の回転中心の追跡、イメージングシステムの空間分解能性能、イメージングシステムの感度性能、及び／又は数値で表すことのできる他の画像品質特性を含む。
【００１７】
非限定的な一例では、イメージングシステム特性サーバ１０６は、上述の動作特性について、システム１０４のうちの１又は複数にポーリングする。このようなポーリングは、所定スケジュール（例えば、毎晩、等）に基づき、オンデマンドで（例えば、ポーリングのユーザ要求を示す信号に応答して）、及び／又はその他に基づき得る。追加又は代替で、システム１０４は、１又は複数の動作特性をイメージングシステム特性サーバ１０６へプッシュ又は送信できる。プッシュは、所定スケジュール（例えば、毎晩、等）に基づき、オンデマンドで（例えば、ポーリングのユーザ要求を示す信号に応答して）あり得る。
【００１８】
イメージングシステム特性サーバ１０６は、（図示のように）イメージングシステムヘルス監視システム１０２の部分であり、それとは別個であり、及び／又はイメージングシステムヘルス監視システム１０２と１又は複数の他のシステムとの間で分散され得る。別個のシステムの一例は、限定ではないが、イメージングシステム１０４、イメージングシステム１０４が配置される設備、イメージングシステム１０４のための中央サーバ、等のうちの１又は複数を有する。
【００１９】
特性識別器１１８は、イメージングシステム特性サーバ１０６により格納される特定の動作特性を識別する。図示の実施形態では、特定の動作特性は、特定のイメージングシステム１０４が自身の提供するサービス（例えば、被検体又はオブジェクトをスキャンする）を実行するために使用可能及び動作可能である間、断続的に動作可能範囲１２０から外れる値を有するものである。このような動作特性は、個々のイメージングシステム１０４が即時サービス及び／又は注意を要求することを示すもの（例えば、Ｘ線菅アーク、不良検出器、等）とは対照的である。
【００２０】
識別特性記憶装置１２２は、識別された特性の特性値を格納する。特性値は、連続的又は周期的に測定されても良い。いずれの例でも、識別された特性の全部又はその部分集合が格納される。後者の例では、例えば、全部の値の代わりに、１又は複数の時間範囲に渡る平均値が得られても良い。別の例では、１又は複数の時間範囲に渡る単に最大値及び／又は単に最小値が得られても良い。更に別の例では、別の代表値が得られ格納される。
【００２１】
トレンダ（trender）１２４は、識別特性記憶装置１２２に格納された情報の傾向を生成する。例えば、回路基板の温度が断続的に仕様から外れ、イメージングシステム１０４が依然としてスキャンし診断画像を生成する場合、回路基板の温度が識別特性記憶装置１２２に格納され、トレンダ１２４により傾向が示される（trend）。別の例として、画像品質値が断続的に仕様から外れる場合、値は識別特性記憶装置１２２に格納され、トレンダ１２４により時間に渡る傾向を示される。
【００２２】
傾向レポジトリ１２６は、トレンダ１２４により生成される傾向を格納する。傾向レポジトリ１２６は、（図示のように）イメージングシステムヘルス監視システム１０２の部分であり、それとは別個であり、及び／又はイメージングシステムヘルス監視システム１０２と１又は複数の他のシステムとの間で分散され得る。
【００２３】
持続性傾向識別器１２８は、特性が仕様から外れることが所定時間枠に渡り持続する、傾向レポジトリ１２６の中の傾向を識別する。一例では、これは、所定のパターン１２８（例えば、特定の時間期間に渡る閾時間数）について、傾向レポジトリ１２６の中の傾向を周期的に評価することにより達成される。パターン１２８に合わない傾向は、傾向レポジトリ１２６から削除できる。
【００２４】
傾向比較器１３２は、識別された持続性傾向を他の傾向と比較する。例えば、一例では、傾向比較器１３２は、識別された持続性傾向を、同じ持続性傾向を有する及び／又は有したがサービスを要求しなかったイメージングシステムの傾向と比較する。追加又は代替で、傾向比較器１３２は、識別された持続性傾向を、同じ持続性傾向を有する及び／又は有した及びサービスを要求したイメージングシステムの傾向と比較する。
【００２５】
追加又は代替で、傾向比較器１３２は、識別された持続性傾向を、同じイメージングシステムについて前に生成した傾向及び同じ持続性傾向と比較する。これから、傾向比較器１３２は、断続的特性がより高頻度に、より低頻度に、又は同じように、断続的に生じているか否かを決定できる。他の比較の本願明細書で意図される。
【００２６】
比較は、ユーザの選択した比較傾向を示す信号のような、ユーザ入力を示す信号により呼び出され、それに基づくことができる。追加又は代替で、持続性傾向識別器１２８は、比較について、傾向を自動的に識別できる。後者の例では、識別された傾向は、ユーザにより確認又は検証される必要があっても良く、及び／又はユーザは自動的に選択された傾向を覆すことができる。
【００２７】
傾向及び／又は比較は、ディスプレイ１３４により視覚的に表示され得る。ディスプレイの目的のために、傾向及び／又は比較は、所定の優先度に基づきランク付けされ得る。このランク付けは、特定の特性、イメージングシステムの種類、持続の程度、等を考慮しても良い。色、文字サイズ、背景、及び／又は他の兆候のような兆候は、表示された傾向及び／又は比較を目立たせ、強調し、ランク付けする、等のために利用できる。
【００２８】
入力装置１３６は、ユーザ入力を示す信号を得るために使用できる。入力装置の例は、限定ではないが、マウス、タッチスクリーン、デジタルペン、マイクロフォン、等を含む。一例では、信号は、更なる評価及び／又はサービスの傾向を警告しても良い（flag）。別の例では、信号は、更なる評価及び／又はサービスを要求しない傾向を警告しても良い（flag）。
【００２９】
決定ロジック１３８は、所定ルール１４０のセットに基づき、傾向及び／又は傾向比較を評価する。これは、ユーザ入力を示す信号のような信号が提供される場合、このようなユーザ入力を考慮することを含む。イメージングシステム１０４はサービスを要求しないことをルール１４０が示す場合、決定ロジック１３８は、この決定の理由を示す説明を傾向に関連付け及び／又は付加し、及び後の分析及び／又はアーカイブのために付加された傾向を傾向レポジトリ１２６に格納しても良い。
【００３０】
イメージングシステム１０４がサービスを受けるべきであるとルールが示す場合、決定ロジック１３８により通知信号が生成され、決定ロジック１３８により送信される。任意で、決定ロジック１３８は、この決定の理由を示す説明を傾向に関連付け及び／又は付加し、付加された傾向を傾向レポジトリ１２６に格納しても良い。ルール１４０は、予め定められ及び／又はユーザにより設定可能であり得る。
【００３１】
遠隔サービスエンジン１４２は、通知信号を受信することに応答して、及びサービスが遠隔サービスエンジン１４２により遠隔で実行できる場合、持続性傾向を有する特性でイメージングシステム１０４にアクセスし、サービスを実行する。これは、人間の相互作用を含んでも良く、又はいかなる人間の相互作用も含まなくても良い。追加又は代替で、遠隔サービスエンジン１４２は、サービス人員に電子通知を提供する。これは、イメージングシステム１０４の現場サービスをもたらし得る。
【００３２】
概して、イメージングシステムヘルス監視システム１０２は、傾向を示し、ランク付けし、分析し、及び／又は更にサービス遠隔測定法のために、主要パラメータを異なる地域に渡り設置されるイメージングシステム１０４の集合から遠隔で利用可能にし、同時に、ネットワーク通信帯域幅及び／又は接続制限を、及び複数システム情報を分析するために大容量コンピューティングサーバの必要を克服する。
【００３３】
理解されるべきことに、イメージングシステムヘルス監視システム１０２の少なくとも一部分は、過渡媒体を除く、物理メモリのようなコンピュータ可読記憶媒体に埋め込まれ又は符号化された１又は複数のコンピュータ実行可能命令を実行する１又は複数のコンピュータプロセッサ（ＣＰＵ（central  processing  unit）、マイクロプロセッサ、等）により実装できる。しかしながら、コンピュータ実行可能命令の少なくとも１つは、代替で、搬送波、信号、及び他の一時的媒体により伝達でき、１又は複数のコンピュータプロセッサにより実施できる。
【００３４】
図２は、システム１００の変形を概略的に示す。図２では、イメージングシステムヘルス監視システム１０２は、イメージングシステム特性サーバ１０６の中の動作特性を評価する特性評価器２０２を更に有し、本願明細書で及び／又は他で示されるようにイメージングシステム１０４が即時サービス及び／又は注意を要求することを示す動作特性を識別することに応答して遠隔サービスエンジン１４２に通知する。
【００３５】
図３は、本願明細書に開示の実施形態による例示的な方法を示す。
【００３６】
これらの方法の動作の順序は限定的でないことが理解されるべきである。したがって、他の順序が本願明細書で考えられる。さらに、１又は複数の動作は省略されても良く、及び／又は１又は複数の追加動作が含まれても良い。
【００３７】
３０２で、１又は複数のイメージングシステムの動作特性が得られる。本願明細書で議論するように、動作特性は、特性のプル及び／又はプッシュを通じて得ることができ、数値である。
【００３８】
３０４で、得られた特性のうち、断続的に所定動作可能範囲から出る特性が識別される。
【００３９】
３０６で、断続的に所定動作可能範囲から出る特性の傾向が生成される。
【００４０】
３０８で、特性が持続的に所定動作可能範囲から外れる生成された傾向が識別される。非限定的な一例では、これは、健康状態（例えば、良好、疑わしい、危険、等）に基づきカテゴリ（例えば、特性のグループ）をランク付けするステップ、どのサブシステムが正常、疑わしい、危険、等であることを視覚的に示す、色、背景などのしるしを用いてそれらを表示するステップを有する。概して、識別されたシステムの健康状態を表示することは、設置基盤内のシステム種類の全体的健康状態の絵を提供できる。
【００４１】
３１０で、持続性傾向は、１又は複数の基準傾向と比較される。これは、異なるイメージングシステムのサービスを生じた異なるイメージングシステムの同じ特性の傾向、異なるイメージングシステムのサービスを生じなかった異なるイメージングシステムの同じ特性の傾向、イメージングシステムの同じ特性の傾向、等を有する。
【００４２】
３１２で、持続的に所定動作可能範囲から外れる特性を有するイメージングシステムがルールのセットに基づきサービスを提供されるべきか否かが決定される。
【００４３】
提供されるべきである場合、３１４で、サービス通知信号が生成され送信される。本願明細書で議論するように、サービス通知信号は、イメージングシステムのサービスを生じても良い。
【００４４】
以上は、コンピュータプロセッサにより実行されると該プロセッサに上述の動作を実行させる、コンピュータ可読記憶媒体に符号化され又はそれに埋め込まれるコンピュータ可読命令により実装されてもよい。追加又は代替で、少なくとも１つのコンピュータ可読命令は、信号、搬送波、又は他の一時的媒体により伝達され、コンピュータプロセッサにより実施される。
【００４５】
本発明は、好適な実施形態を参照して説明された。前述の詳細な説明を読み理解することで、変更及び代替が可能である。本発明は、このような全ての変更及び代替は添付の請求の範囲の範囲又はその等価物に包含されるものと見なされる。
【図１】
0006356242.tif 000002
【図２】
0006356242.tif 000003
【図３】
0006356242.tif 000004